(57)【要約】【課題】下方からの反射光を検知しないようにすることにより、周囲の明るさの検知精度を向上させて、自己点滅を防止できる照明装置を提供する。【解決手段】壁面１１に取付可能な取付金具２０は、発光領域ＲＢと、非発光領域ＲＣと、センサ領域ＲＡと、を有する。発光領域ＲＢは、取付金具２０に支持されて壁面１１とは反対側（前側）を向いている。非発光領域ＲＣは、取付金具２０に支持されて適宜の位置に配置されている。センサ領域ＲＡは、壁面１１とは反対側の明るさを検知する明るさセンサ２８を有する。取付金具２０に支持された制御基板２７は、明るさセンサ２８によって検知された明るさに対応して、発光領域ＲＢを点灯・消灯させる。このとき、明るさセンサ２８の集光面２８１側に、前方上部からの光を明るさセンサ２８に導く導光部材３２、３３を設けた。このため、明るさセンサ２８は、発光領域ＲＢから発せられて、床面１２等で反射して下方から来る光を検知しにくいので、周囲の明るさの検知精度を向上させて、自己点滅を防止できる。【選択図】図４
2014165078.tif 000002
【特許請求の範囲】
【請求項１】
立面に取付可能な本体と、
前記本体に支持されて前記立面とは反対側を向く発光領域と、
前記本体に支持されて発光しない非発光領域と、
前記立面とは反対側の明るさを検知する明るさセンサを有するセンサ領域と、
前記本体に支持されて前記明るさセンサにより検知された明るさに対応して前記発光領域を点灯させる制御部と、を備え、
前記明るさセンサの集光面側に、前方上部からの光を前記明るさセンサに導く導光部材を設けた照明装置。
【請求項２】
請求項１に記載の照明装置において、
前記導光部材の入射面が、前記発光領域から遠ざかるように屈曲したレンズである照明装置。
【請求項３】
請求項１または請求項２に記載の照明装置において、
前記導光部材の入射面が、前記発光領域から遠ざかるように屈曲し、内面が黒色の黒筒である照明装置。
【発明の詳細な説明】
【技術分野】
【０００１】
本発明は、夜間等の周囲が暗い場合に自動的に、これを感知して足下を照らす照明装置に関するものである。
【背景技術】
【０００２】
従来、明るさセンサにより正面付近の明るさを検知して、周囲が暗い場合に光源を点灯して足下を照らし、周囲が明るい場合に光源を消灯制御する照明装置が知られている（例えば、特許文献１参照）。
図１１に示すように、特許文献１に記載のＬＥＤ足下灯（照明装置）１００は、壁面１０１に埋め込まれて使用される。ＬＥＤ足下灯１００は、下部に光源であるＬＥＤ１０２を有し、中央部に明るさセンサ１０３を有する。ＬＥＤ足下灯１００は、明るさセンサ１０３の上側にコンセント１０４を有する。
また、ＬＥＤ足下灯１００は、外周部に化粧カバー１０５を有し、ＬＥＤ１０２の前方にはレンズ１０６を有する。
【０００３】
従って、ＬＥＤ足下灯１００は、例えば夕方になって周囲が暗くなったことを明るさセンサ１０３が感知すると、ＬＥＤ１０２を点灯させて足下を照らす。
このとき、レンズ１０６を通すことによりＬＥＤ１０２の照射方向を実質的に非正面方向として、正面に対向する壁面からの反射光が、明るさセンサ１０３に入射しないようにしている。
これにより、一旦点灯制御されたＬＥＤ１０２が発する光によって、明るさセンサ１０３が、周囲が明るくなったと認識して消灯し、これを繰り返えすいわゆる自己点滅が発生するのを防止している。
【先行技術文献】
【特許文献】
【０００４】
【特許文献１】特開２００２−２８９０３１号公報（第１図）
【発明の概要】
【発明が解決しようとする課題】
【０００５】
しかしながら、図１２に示すように、前述したような従来のＬＥＤ足下灯１００（照明装置）においては、ＬＥＤ１０２から床面１０７に光ＬＢ１が照射されると、照射された光ＬＢ１のうちの一部は、床面１０７で反射する（光ＬＢ２）。
そして、反射光ＬＢ２の一部が明るさセンサ１０３により検知される場合があり、自己点滅が発生する虞があるという問題があった。
【０００６】
本発明は、従来の問題を解決するためになされたもので、下方からの反射光を検知しないようにすることにより、周囲の明るさの検知精度を向上させて、自己点滅を防止できる照明装置を提供することを目的とする。
【課題を解決するための手段】
【０００７】
本発明の照明装置は、立面に取付可能な本体と、前記本体に支持されて前記立面とは反対側を向く発光領域と、前記本体に支持されて発光しない非発光領域と、前記立面とは反対側の明るさを検知する明るさセンサを有するセンサ領域と、前記本体に支持されて前記明るさセンサにより検知された明るさに対応して前記発光領域を点灯させる制御部と、を備え、前記明るさセンサの集光面側に、前方上部からの光を前記明るさセンサに導く導光部材を設けたものである。
【０００８】
また、本発明の照明装置は、前記導光部材の入射面が、前記発光領域から遠ざかるように屈曲したレンズであるものである。
【０００９】
さらに、本発明の照明装置は、前記導光部材の入射面が、前記発光領域から遠ざかるように屈曲し、内面が黒色の黒筒であるものである。
【発明の効果】
【００１０】
本発明は、取付金具に支持された制御基板が、明るさセンサによって検知された明るさに対応して、発光領域を点灯・消灯させる。このとき、明るさセンサの集光面側に、前方上部からの光を明るさセンサに導く導光部材を設けた。このため、明るさセンサは、発光領域から発せられて、床面等で反射して下方から来る光を検知しにくいので、周囲の明るさの検知精度を向上させて、自己点滅を防止できるという効果を有する照明装置を提供できる。
【図面の簡単な説明】
【００１１】
【図１】本発明に係る第１実施形態の照明装置の正面図
【図２】図１中ＩＩ−ＩＩ位置の断面図
【図３】本発明に係る第１実施形態の照明装置の分解斜視図
【図４】図２中ＩＶ部分の拡大断面図
【図５】本発明に係る第２実施形態の照明装置における図２相当の断面図
【図６】本発明に係る第２実施形態の照明装置の分解斜視図
【図７】図５中ＶＩＩ部分の拡大断面図
【図８】本発明に係る第３実施形態の照明装置における図２相当の断面図
【図９】本発明に係る第３実施形態の照明装置の分解斜視図
【図１０】図８中Ｘ部分の拡大断面図
【図１１】従来の照明装置の正面図
【図１２】従来の照明装置における問題点の説明図
【発明を実施するための形態】
【００１２】
（第１実施形態）
以下、本発明に係る第１実施形態の照明装置について、図面を用いて説明する。
図１および図２に示すように、本発明に係る第１実施形態の照明装置１０Ａは、壁面（立面）１１の下部等に取り付けられて、床面１２を照明するのに用いることができる。
なお、以下の説明においては、床面１２側を下とし、反対側を上として説明する。また、照射方向を前とし、壁面１１側を後として説明する。
【００１３】
図２および図３に示すように、照明装置１０Ａは、壁面１１に設けられた取付孔１３に取付可能な取付金具（本体）２０を有する。
取付金具２０は、矩形板状のベース２１を呈しており、四辺は前方（照射方向）に折曲げられてリブ２２を形成している。ベース２１の中央部には矩形状の第１の開口２３が設けられ、第１の開口２３の下方には矩形状の第２の開口２４が設けられている。
また、第１の開口２３の左右の外縁部には、後方（ベース２１の裏面側）に折曲げ形成された取付部２５が設けられている。従って、取付金具２０は、取付部２５を、壁面１１の取付孔１３に取り付けることにより、固定される。
【００１４】
ベース２１の第１の開口２３には、前方に開口（開口２６１）した矩形箱状のケース２６が収容されて取り付けられる。ケース２６の開口２６１には、制御基板（制御部）２７が取り付けられる。
制御基板２７の上部には、明るさセンサ２８が取り付けられている。明るさセンサ２８は制御基板２７によって制御されるとともに、検知信号を制御基板２７に送る。なお、明るさセンサ２８は、幅方向の端部に位置するのが望ましい。
【００１５】
制御基板２７の前方には、矩形板状の光源ユニット２９が取り付けられており、光源ユニット２９は制御基板２７によって点灯制御される。光源ユニット２９の中央部には、矩形の枠２９２が設けられており、枠２９２の内部には光源であるＬＥＤ３１が取り付けられている。枠２９２の上側には、一対の取付孔２９３が設けられている。
また、光源ユニット２９において制御基板２７の明るさセンサ２８に対応する位置には、貫通孔２９１が設けられており、明るさセンサ２８が前方に突出可能となっている。
【００１６】
貫通孔２９１には、光源ユニット２９から突出する明るさセンサ２８の集光面２８１を保護するとともに、側方からの光の侵入を防止する黒筒（導光部材）３２が取り付けられる。
また、黒筒３２の内部には、明るさセンサ２８の集光面２８１の前方を覆うレンズ（導光部材）３３が取り付けられる。
【００１７】
ベース２１の第２の開口２４には、矩形箱状の端子台３４が収容されて取り付けられる。端子台３４の前面には、コンセント３５が設けられている。
ベース２１のリブ２２には、前方から矩形板状のカバー３６が着脱可能に取り付けられる。カバー３６は、ケース２６の前面に取り付けられた光源ユニット２９および端子台３４を収容して、取付金具２０の前面を覆う。
カバー３６の上部には、明るさセンサ２８用の丸孔３７が設けられており、丸孔３７からレンズ３３の一部が前方に突出する。
このようにして、カバー３６の前面における上部に、明るさを検知するセンサ領域ＲＡが形成される。
【００１８】
カバー３６の中央部には矩形の第１開口部３８が設けられており、光源ユニット２９の枠２９２が第１開口部３８の内側に嵌まる。第１開口部３８には、乳白色の透光性のパネル３９が配置される。パネル３９の上部には一対の取付片３９１が突出して設けられており、この取付片３９１を光源ユニット２９の取付孔２９３に挿嵌して開閉可能に取り付けられる。
なお、パネル３９の両側面下部には、係止突起３９２が外側に突出して設けられており、パネル３９を取り付けて閉じた際に、閉じた状態で係止する。
このようにして、カバー３６の前面におけるセンサ領域ＲＡの下側に隣接して、照明光を発する発光領域ＲＢが形成される。
【００１９】
カバー３６の下部には、矩形の第２開口部４１が設けられている。第２開口部４１は端子台３４の前方に位置し、コンセント３５部分が挿入されて、コンセント３５の前面が、カバー３６の前方に露出する。
このようにして、カバー３６の前面における発光領域ＲＢの下側に隣接して、照明光を発しない非発光領域ＲＣが形成される。
【００２０】
図２および図４に示すように、黒筒３２は、前方に前開口（入射面）３２４を有する例えば長円形断面の筒状の前部３２１と、明るさセンサ２８の前方に開口し明るさセンサ２８の先端部が挿入される円筒形状の後部３２２を有する。
後部３２２は、前部３２１の下部に連続している。前部３２１の内部における上部には、前部３２１の前上端と後部３２２の前上端とを擦付ける傾斜面３２３が設けられている。すなわち、黒筒３２は、前開口３２４側が、発光領域ＲＢから遠ざかるように上方に屈曲している。
前部３２１、後部３２２および傾斜面３２３は、いずれも内面が黒色であり、光を反射しない。
【００２１】
従って、図４に示すように、検出光ＢＭ１１よりも上方の光は、黒筒３２の後部３２２の前端により遮られて、明るさセンサ２８に達しない。また、検出光ＢＭ１２よりも下方の光は、カバー３６の丸孔３７の下部により遮られて、明るさセンサ２８に達しない。
従って、黒筒３２を通過して明るさセンサ２８によって検出される検出光ＢＭ１は、検出光ＢＭ１１と検出光ＢＭ１２との間となる。
【００２２】
また、黒筒３２に収容されるレンズ３３は、入射面である前面３３４がカバー３６の丸孔３７から前方に露出し、水平に延びる上水平部３３１と、水平に延びて後面が明るさセンサ２８と対面する下水平部３３２を有する。
上水平部３３１は黒筒３２の前部３２１に収容され、下水平部３３２は黒筒３２の後部３２２に収容される。すなわち、レンズ３３は、前面３３４が発光領域ＲＢから遠ざかるように上方に屈曲している。
【００２３】
上水平部３３１と下水平部３３２との間には、上水平部３３１と下水平部３３２とを接続する傾斜部３３３が設けられている。このとき、傾斜部３３３の水平に対する傾斜角度θを一定角度（例えば、レンズ３３の臨界角）以上とするのが望ましい。
これにより、略全反射して、検出光ＢＭ２を伝達することができる。なお、傾斜部３３３と下水平部３３２との関係も同様にすることにより、明るさセンサ２８に検出光ＢＭ２を伝達することができ、明るさを検知することができる。
【００２４】
従って、水平方向からレンズ３３に入射する検出光ＢＭ２は、上水平部３３１に入射し、傾斜部３３３を介して下水平部３３２に導かれる。そして、下水平部３３２の後面から出射して、明るさセンサ２８に入射し、検知される。
一方、下方からの検出光ＢＭ３は傾斜部３３３に対する入射角度が９０度に近いため、レンズ３３に入射しても傾斜部３３３を透過して出射する。このため、明るさセンサ２８に達しないので、検知されない。
【００２５】
本発明の第１実施形態の照明装置１０Ａの作用効果について説明する。
第１実施形態の照明装置１０Ａは、壁面１１に取付可能な取付金具２０を有する。取付金具２０は、発光領域ＲＢと、非発光領域ＲＣと、センサ領域ＲＡと、を有する。
発光領域ＲＢは、取付金具２０に支持されて壁面１１とは反対側（前側）を向いている。非発光領域ＲＣは、取付金具２０に支持されて適宜の位置に配置されている。センサ領域ＲＡは、壁面１１とは反対側の明るさを検知する明るさセンサ２８を有する。
【００２６】
そして、取付金具２０に支持された制御基板２７が、明るさセンサ２８によって検知された明るさに対応して、発光領域ＲＢを点灯・消灯させる。このとき、明るさセンサ２８の集光面２８１側に、天井面側（前方上部）からの光を明るさセンサ２８に導く導光部材として黒筒３２およびレンズ３３を設けた。
このため、明るさセンサ２８は、発光領域ＲＢから発せられて、床面１２等で反射して下方から来る光を検知しにくいので、周囲の明るさの検知精度を向上させて、自己点滅を防止できる。
【００２７】
（第２実施形態）
次に、本発明に係る第２実施形態の照明装置について説明する。
なお、前述した第１実施形態の照明装置１０Ａと共通する部位には同じ符号を付して、重複する説明を省略することとする。
図５および図６に示すように、第２実施形態の照明装置１０Ｂでは、導光部材として入射面である前面３３４が、発光領域ＲＢから遠ざかるように屈曲したレンズ３３のみを、光源ユニット２９の貫通孔２９１に取り付けた。
【００２８】
図７に示すように、レンズ３３は、前面３３４がカバー３６の丸孔３７から前方に露出し、水平に延びる上水平部３３１と、水平に延びて後面が明るさセンサ２８と対面する下水平部３３２を有する。
上水平部３３１と下水平部３３２との間には、上水平部３３１と下水平部３３２とを接続する傾斜部３３３が設けられている。すなわち、レンズ３３は、前面３３４が発光領域ＲＢから遠ざかるように上方に屈曲している。
このとき、傾斜部３３３の水平に対する傾斜角度θを一定角度（例えば、臨界角）以上とするのが望ましい。なお、傾斜部３３３と下水平部３３２との関係も同様にすることにより、明るさセンサ２８に検出光ＢＭ２を伝達することができ、明るさを検知することができる。
【００２９】
次に、本発明の第２実施形態の照明装置１０Ｂの作用効果について説明する。
第２実施形態の照明装置１０Ｂでは、導光部材として前面３３４が発光領域ＲＢから遠ざかるように上方に屈曲したレンズ３３を設けた。
このため、図７に示すように、水平方向および例えば天井面側（前方上部）である上方からの光は、レンズ３３を通って明るさセンサ２８に到達して検知される。
一方、下方からの光は、レンズ３３に入射してもそのまま傾斜部３３３を透過して出射するので、検知されにくい。
これにより、周囲の明るさの検知精度を向上させて、自己点滅を防止できる。
【００３０】
（第３実施形態）
次に、本発明に係る第３実施形態の照明装置について説明する。
なお、前述した第１実施形態の照明装置１０Ａおよび第２実施形態の照明装置１０Ｂと共通する部位には同じ符号を付して、重複する説明を省略することとする。
図８および図９に示すように、第３実施形態の照明装置１０Ｃでは、導光部材として黒筒３２のみを設けた。
【００３１】
図１０に示すように、黒筒３２は、前方が開口した例えば長円形断面の筒状の前部３２１と、明るさセンサ２８の前方に開口し明るさセンサ２８の先端部が挿入される円筒形状の後部３２２を有する。
後部３２２は、前部３２１の下部に連続している。前部３２１の内部における上部には、前部３２１の前上端と後部の前上端とを擦付ける傾斜面３２３が設けられている。すなわち、黒筒３２は、前開口３２４側が、発光領域ＲＢから遠ざかるように上方に屈曲している。
前部３２１、後部３２２および傾斜面３２３は、いずれも内面が黒色であり、光を反射しない。
これにより、発光領域ＲＢの発光方向に向かって上方に屈曲した経路を形成する。
【００３２】
次に、本発明の第３実施形態の照明装置１０Ｃの作用効果について説明する。
第３実施形態の照明装置１０Ｃでは、導光部材として、前開口３２４側が、発光領域ＲＢから遠ざかるように上方に屈曲し、内面が黒色の黒筒３２を設けた。
このため、図１０に示すように、検出光ＢＭ１１よりも上方の光は、黒筒３２の後部３２２の前端により遮られて、明るさセンサ２８に達しない。また、検出光ＢＭ１２よりも下方の光は、カバー３６の丸孔３７の下部により遮られて、明るさセンサ２８に達しない。
従って、明るさセンサ２８によって検出される検出光ＢＭ１は、検出光ＢＭ１１と検出光ＢＭ１２との間となる。
これにより、下方からの光を検知しないので、周囲の明るさの検知精度を向上させて、自己点滅を防止できる。
【００３３】
本発明の照明装置は、前述した各実施形態に限定されるものでなく、適宜な変形、改良等が可能である。
【符号の説明】
【００３４】
１０Ａ、１０Ｂ、１０Ｃ  照明装置
１１  壁面（立面）
２０  取付金具（本体）
２７  制御基板（制御部）
２８  明るさセンサ
２８１  集光面
３２  黒筒（導光部材）
３２４  前開口（入射面）
３３  レンズ（導光部材）
３３４  前面（入射面）
ＲＡ  センサ領域
ＲＢ  発光領域
ＲＣ  非発光領域
【図１】
2014165078.tif 000003
【図２】
2014165078.tif 000004
【図３】
2014165078.tif 000005
【図４】
2014165078.tif 000006
【図５】
2014165078.tif 000007
【図６】
2014165078.tif 000008
【図７】
2014165078.tif 000009
【図８】
2014165078.tif 000010
【図９】
2014165078.tif 000011
【図１０】
2014165078.tif 000012
【図１１】
2014165078.tif 000013
【図１２】
2014165078.tif 000014